(57)【要約】【課題】着用することにより、着衣者の上半身及び下半身のそれぞれに装着される部分を有する安全帯をより簡単に装着することが可能な衣服を提供する。【解決手段】衣服本体１と安全帯１０とを備える衣服であって、衣服本体１は、着衣者の上半身に着用される上側着用部２と、上側着用部２とは分離しており着衣者の下半身に着用される下側着用部５と、を有しており、安全帯１０は、上側着用部２に着脱可能に取り付けられており上側着用部２が着用された際に着衣者の背部から腹部へ回り込むように着衣者の肩に掛けられる上側ベルト部１１と、下側着用部５に着脱可能に取り付けられており下側着用部５が着用された際に着衣者の大腿部を包む下側ベルト部１６と、着衣者が上側着用部２及び下側着用部５を着用した状態にあるときに上側ベルト部１１と下側ベルト部１６とを連結させるための連結部２０と、を有する。【選択図】図２
2020162751.tif 000002
【特許請求の範囲】
【請求項１】
着衣者が着用する衣服本体と、着衣者の墜落を防止するために前記衣服本体に取り付けられた安全帯と、を備える衣服であって、
前記衣服本体は、着衣者の上半身に着用される上側着用部と、該上側着用部とは分離しており着衣者の下半身に着用される下側着用部と、を有し、
前記安全帯は、
前記上側着用部に着脱可能に取り付けられ、前記上側着用部が着用された際に着衣者の背部から腹部へ回り込むように着衣者の肩に掛けられる上側ベルト部と、
前記下側着用部に着脱可能に取り付けられ、前記下側着用部が着用された際に着衣者の大腿部を包む下側ベルト部と、
着衣者が前記上側着用部及び前記下側着用部を着用した状態にあるときに前記上側ベルト部と前記下側ベルト部とを連結させるための連結部と、を有することを特徴とする衣服。
【請求項２】
前記連結部は、前記上側ベルト部から延出した第一延出部と、該第一延出部の先端に設けられた係合部と、前記下側ベルト部から延出した第二延出部と、該第二延出部の先端に設けられた被係合部と、を有し、前記係合部が前記被係合部に係合することで前記上側ベルト部と前記下側ベルト部とを連結することを特徴とする請求項１に記載の衣服。
【請求項３】
前記上側ベルト部は、前記上側着用部の内側に着脱可能に取り付けられており、
前記下側ベルト部は、前記下側着用部の内側に着脱可能に取り付けられていることを特徴とする請求項１又は２に記載の衣服。
【請求項４】
前記安全帯は、着衣者の墜落を防止するために設けられた掛留部が引っ掛けられる環状部を有し、
前記上側着用部は、前記安全帯が取り付けられたときに前記環状部を通す貫通孔が、前記上側着用部の後身頃に形成されていることを特徴とする請求項１から３のいずれか一項に記載の衣服。
【請求項５】
前記上側ベルト部は、一対設けられており、
前記安全帯は、一対の前記上側ベルト部間を連絡する連絡ベルト部を有し、
該連絡ベルト部は、該連絡ベルト部が有する二つのベルト端部を連結するバックル部を備え、該バックル部による連結状態を解除することで前記二つのベルト端部が分離するように構成されていることを特徴とする請求項１から４のいずれか一項に記載の衣服。
【請求項６】
着衣者の墜落を防止するための安全帯であって、
着衣者が着用する衣服本体に着脱可能に取り付けられ、着衣者の背部から腹部へ回り込むように着衣者の肩に掛けられる上側ベルト部と、
前記衣服本体に着脱可能に取り付けられ、着衣者の大腿部を包む下側ベルト部と、
着衣者が前記衣服本体を着用した状態にあるときに前記上側ベルト部と前記下側ベルト部とを連結させるための連結部と、を有することを特徴とする安全帯。
【請求項７】
前記連結部は、前記上側ベルト部から延出した第一延出部と、該第一延出部の先端に設けられた係合部と、前記下側ベルト部から延出した第二延出部と、該第二延出部の先端に設けられた被係合部と、を有し、前記係合部が前記被係合部に係合することで前記上側ベルト部と前記下側ベルト部とを連結することを特徴とする請求項６に記載の安全帯。
【請求項８】
前記衣服本体は着衣者の上半身に着用される上側着用部と、着衣者の下半身に着用される下側着用部とを有し、
前記上側ベルト部は、前記上側着用部の内側に着脱可能に取り付けられ、
前記下側ベルト部は、前記下側着用部の内側に着脱可能に取り付けられることを特徴とする請求項６又は７に記載の安全帯。
【請求項９】
前記上側ベルト部は、一対設けられており、
前記安全帯は、一対の前記上側ベルト部間を連絡する連絡ベルト部を有し、
該連絡ベルト部は、該連絡ベルト部が有する二つのベルト端部を連結するバックル部を備え、該バックル部による連結状態を解除することで前記二つのベルト端部が分離するように構成されていることを特徴とする請求項６から８のいずれか一項に記載の安全帯。
【請求項１０】
着衣者の墜落を防止するための安全帯を、内側において着脱可能に取り付ける取付け部を備え、
前記安全帯が取り付けられたときに、前記安全帯に設けられた着衣者の墜落防止のために掛留部を引掛ける環状部を通す貫通孔が後身頃に形成されていることを特徴とする衣服本体。
【発明の詳細な説明】
【技術分野】
【０００１】
本発明は、衣服、安全帯及び衣服本体に係り、特に、着衣者が着用する衣服本体に安全帯を取り付けることで構成された衣服、衣服本体に取り付けられる安全帯、及び、安全帯を取り付け可能な衣服本体に関する。
【背景技術】
【０００２】
作業着に安全帯を縫い付ける等して安全帯と作業着とを一体化させることは、既に知られている。その一例としては、特許文献１に記載の衣服が挙げられる。特許文献１に記載の衣服は、背部において交差させて両肩に掛ける肩当て帯と、脚を挿入する環状の脚帯と、臀部に係止する臀掛け帯と、を一体に形成した安全帯に対し、作業服の上着表面であって着衣者の背上部及び背部の中下部等に対応する所要箇所に、肩掛け帯を挿通、離脱させるため面ファスナ等により開閉自在に形成した略ベルト通し状乃至は環状の支持部材を取り付けたものである。このような構成によれば、肩当て帯と脚帯と臀掛け帯とが一体化された安全帯（すなわち、フルハーネス型の安全帯）を効率的に着用することが可能となる。
【先行技術文献】
【特許文献】
【０００３】
【特許文献１】特開平１１−３１５４０６号公報
【発明の概要】
【発明が解決しようとする課題】
【０００４】
しかしながら、特許文献１に記載の衣服は、安全帯が取り付けられた上着であり、安全帯を装着するためには、環状の脚帯に足を挿入して臀掛け帯を臀部に係止させてから、上着を着る形になる。かかる手順にて着用しなければならない特許文献１に記載の衣服は、当該衣服を着慣れていない場合には着用に手間が掛かるものとなる。
一方、安全帯が取り付けられた衣服は、洗濯する際、衣服と取り付けられた安全帯とをネットに入れる必要があるため煩わしく、また、安全帯を取り付けた状態では衣服にアイロンをかけにくいという課題があった。
【０００５】
そこで、本発明は、上記の課題に鑑みてなされたものであり、その目的とするところは、着用することにより、着衣者の上半身及び下半身のそれぞれに装着される部分を有する安全帯をより簡単に装着することが可能になると共に洗濯及びアイロンがけが容易な衣服を提供することである。
【課題を解決するための手段】
【０００６】
前記課題は、本発明の衣服によれば、着衣者が着用する衣服本体と、着衣者の墜落を防止するために前記衣服本体に取り付けられた安全帯と、を備える衣服であって、前記衣服本体は、着衣者の上半身に着用される上側着用部と、該上側着用部とは分離しており着衣者の下半身に着用される下側着用部と、を有し、前記安全帯は、前記上側着用部に着脱可能に取り付けられ、前記上側着用部が着用された際に着衣者の背部から腹部へ回り込むように着衣者の肩に掛けられる上側ベルト部と、前記下側着用部に着脱可能に取り付けられ、前記下側着用部が着用された際に着衣者の大腿部を包む下側ベルト部と、着衣者が前記上側着用部及び前記下側着用部を着用した状態にあるときに前記上側ベルト部と前記下側ベルト部とを連結させるための連結部と、を有することにより解決される。
【０００７】
上記のように構成された本発明の衣服では、互いに分離した上側着用部及び下側着用部を着用することにより、上側ベルト部及び下側ベルト部を装着することが可能となる。つまり、本発明の衣服では、上側ベルト部及び下側ベルト部の各々を個別に装着することが可能であり、各ベルト部の装着が容易になる。また、本発明の衣服では、着衣者が上側着用部及び下側着用部を着用した状態にあるときに、上側ベルト部と下側ベルト部とを連結部によって連結させる。これにより、上側ベルト部と下側ベルト部とを連結してフルハーネス型の安全帯を構成することが可能となる。以上のように本発明の衣服であれば、着用することにより、フルハーネス型の安全帯を簡単に装着することが可能となる。
また、上側ベルト部は、上側着用部に着脱可能に取り付けられ、下側ベルト部は、下側着用部に着脱可能に取り付けられる。そのため、衣服本体から安全帯を取り外すことにより衣服本体を容易に洗濯したりアイロンがけをしたりすることが可能となる。
【０００８】
上記の構成において、前記連結部は、前記上側ベルト部から延出した第一延出部と、該延出部の先端に設けられた係合部と、前記下側ベルトから延出した第二延出部と、該第二延出部の先端に設けられた被係合部と、を有し、前記係合部が前記被係合部に係合することで前記上側ベルト部と前記下側ベルト部とを連結すると、好適である。
上記の構成では、上側ベルト部から延出した第一延出部の先端にある係合部を、下側ベルトから延出した第二延出部の先端にある被係合部に係合することで、上側ベルト部と下側ベルト部とが連結する。このような構成であれば、上側ベルト部及び下側ベルト部を容易に連結することが可能となる。この結果、フルハーネス型の安全帯をより簡単に装着することが可能となる。
【０００９】
上記の構成において、前記上側ベルト部は、前記上側着用部の内側に着脱可能に取り付けられており、前記下側ベルト部は、前記下側着用部の内側に着脱可能に取り付けられていると、より好適である。
上記の構成では、上側ベルト部及び下側ベルト部の各々が衣服本体の内側に着脱可能に取り付けられている。したがって、衣服本体の外観は、通常の衣服の外観を呈するようになり、本発明の衣服の意匠（見た目）が向上する。
【００１０】
上記の構成において、前記安全帯は、着衣者の墜落を防止するために設けられた掛留部が引っ掛けられる環状部を有し、前記上側着用部は、前記安全帯が取り付けられたときに前記環状部を通す貫通孔が、前記上側着用部の後身頃に形成されていると、好適である。
上記の構成では、上側着用部の後身頃に環状部を通す貫通孔が形成されているため衣服から外出した環状部に墜落防止用の掛留部（例えば、ランヤードのフック）を引っ掛け易くなる。また、環状部が掛留部に引っ張られても、環状部は安全帯に接続しているため、衣服本体が直接引っ張られて伸びることがない。
【００１１】
上記の構成において、前記上側ベルト部は、一対設けられており、前記安全帯は、一対の前記上側ベルト部間を連絡する連絡ベルト部を有し、該連絡ベルト部は、該連絡ベルト部が有する二つのベルト端部を連結するバックル部を備え、該バックル部による連結状態を解除することで前記二つのベルト端部が分離すると、より一層好適である。
上記の構成では、一対の上側ベルト部と、その間を連絡する連絡ベルト部とによって着衣者の上半身を良好に保持することが可能となる。また、連絡ベルト部にはバックル部が設けられており、バックル部によって、連絡ベルト部が有する二つのベルト端部が連結されている。そして、上側着用部を着用する際にバックル部を操作して上記二つのベルト端部を分離させれば、連絡ベルト部によって上側着用部の着用が妨げられるのを回避することが可能となる。
【００１２】
また、前記課題は、本発明の安全帯によれば、着衣者の墜落を防止するための安全帯であって、着衣者が着用する衣服本体に着脱可能に取り付けられ、着衣者の背部から腹部へ回り込むように着衣者の肩に掛けられる上側ベルト部と、前記衣服本体に着脱可能に取り付けられ、着衣者の大腿部を包む下側ベルト部と、着衣者が前記衣服本体を着用した状態にあるときに前記上側ベルト部と前記下側ベルト部とを連結させるための連結部と、を有することにより解決される。
【００１３】
上記のように構成された本発明の安全帯では、衣服本体を着用することで、衣服本体に着脱可能に取り付けられた上側ベルト部と、下側ベルト部とを装着することが可能になる。つまり、また、本発明の安全帯では、着衣者が上側着用部及び下側着用部を着用した状態にあるときに、上側ベルト部と下側ベルト部とを連結部によって連結させる。これにより、上側ベルト部と下側ベルト部とを連結してフルハーネス型の安全帯を構成することが可能となる。それによりフルハーネス型の安全帯を簡単に装着することが可能となる。
【００１４】
上記の構成において、前記連結部は、前記上側ベルト部から延出した第一延出部と、該第一延出部の先端に設けられた係合部と、前記下側ベルト部から延出した第二延出部と、該第二延出部の先端に設けられた被係合部と、を有し、前記係合部が前記被係合部に係合することで前記上側ベルト部と前記下側ベルト部とを連結すると、好適である。
上記の構成では、上側ベルト部から延出した第一延出部の先端にある係合部を、下側ベルトから延出した第二延出部の先端にある被係合部に係合することで、上側ベルト部と下側ベルト部とが連結する。このような構成であれば、上側ベルト部及び下側ベルト部を容易に連結することが可能となる。この結果、フルハーネス型の安全帯をより簡単に装着することが可能となる。
【００１５】
上記の構成において、前記衣服本体は着衣者の上半身に着用される上側着用部と、着衣者の下半身に着用される下側着用部とを有し、前記上側ベルト部は、前記上側着用部の内側に着脱可能に取り付けられ、前記下側ベルト部は、前記下側着用部の内側に着脱可能に取り付けられると好適である。
上記の構成では、上側ベルト部及び下側ベルト部の各々が衣服本体の内側に着脱可能に取り付けられている。したがって、衣服本体の外観は、通常の衣服の外観を呈するようになり、本発明の衣服の意匠（見た目）が向上する。
【００１６】
上記構成において、前記上側ベルト部は、一対設けられており、前記安全帯は、一対の前記上側ベルト部間を連絡する連絡ベルト部を有し、該連絡ベルト部は、該連絡ベルト部が有する二つのベルト端部を連結するバックル部を備え、該バックル部による連結状態を解除することで前記二つのベルト端部が分離すると、より一層好適である。
上記の構成では、一対の上側ベルト部と、その間を連絡する連絡ベルト部とによって着衣者の上半身を良好に保持することが可能となる。また、連絡ベルト部にはバックル部が設けられており、バックル部によって、連絡ベルト部が有する二つのベルト端部が連結されている。そして、上側着用部を着用する際にバックル部を操作して上記二つのベルト端部を分離させれば、連絡ベルト部によって上側着用部の着用が妨げられるのを回避することが可能となる。
【００１７】
また、前記課題は、本発明の衣服本体によれば、着衣者の墜落を防止するための安全帯を、内側において着脱可能に取り付ける取付け部を備え、前記安全帯が取り付けられたときに、前記安全帯に設けられた着衣者の墜落防止のために掛留部を引掛ける環状部を通す貫通孔が後身頃に形成されていることにより解決される。
安全帯を着脱可能に取り付ける取付け部を内側に備えることにより、衣服本体を着用することで、安全帯を簡単に装着することができる。また、衣服本体から安全帯を取り外すことにより衣服本体を容易に洗濯することが可能となる。また、環状部が墜落防止用の掛留部に引っ張られた場合でも、衣服本体が直接引っ張られて伸びることがない。
【発明の効果】
【００１８】
本発明の衣服によれば、着用することにより、着衣者の上半身及び下半身のそれぞれに装着される部分を有する安全帯（フルハーネス型の安全帯）をより簡単に装着することが可能になる。また、着脱可能に安全帯を衣服本体に取り付けることで洗濯及びアイロンがけが容易になる。
【図面の簡単な説明】
【００１９】
【図１】本発明の一実施形態に係る衣服を示す図である。
【図２】衣服本体の上側着用部に取り付けた安全帯の上部ベルト部と下部ベルト部とを示す図である。
【図３】本発明の一実施形態に係る衣服本体の上側着用部を後ろ側から見た図である。
【図４】衣服の環状部に掛留部を引っ掛けた状態を示す図であり、図３のIII-III線に沿った断面図である。
【図５】本発明の一実施形態に係る衣服本体の下側着用部を前側から見た図である。
【図６】本発明の一実施形態に係る下側着用部の前身頃の内側を示す図である。
【図７】連結部によって上側ベルト部と下側ベルト部とが連結された状態を示す図である。
【発明を実施するための形態】
【００２０】
以下、本発明の一実施形態（以下、本実施形態）に係る衣服について図面を参照しながら説明する。なお、以下に説明する実施形態は、本発明の理解を容易にするための一例に過ぎず、本発明を限定するものではない。すなわち、本発明は、その趣旨を逸脱することなく、変更、改良され得る。また、当然ながら、本発明にはその等価物が含まれ得る。
【００２１】
また、以下において衣服各部の位置や状態、配向方向を説明する際には、着衣者が衣服を着用したケースを想定して説明することとする。また、以下の説明中、「左右方向」とは、衣服を着用した着衣者を正面から見たときの左右方向のことであり、「前後方向」とは、衣服を着用した着衣者にとっての前後方向のことである。また、「上下方向」は、衣服を着用した着衣者にとっての上下方向のことである。また、「外側」とは、衣服において外に露出する側を意味しており、「内側」とは、衣服が着衣者に着用された際に着衣者の身体と向かい合う側を意味している。
【００２２】
また、以下では、衣服（厳密には、衣服本体）において着衣者の背部、腹部、胸部及び大腿部と対向する部分を、それぞれ、便宜的に「背部」、「腹部」、「胸部」及び「大腿部」と呼ぶこととする。
【００２３】
本実施形態の衣服（以下、衣服Ｘ）は、作業着として用いられ、高所作業を実施する着衣者（作業者）によって着用される。衣服Ｘは、図１に示すように、上下一組の着用部からなる衣服本体１に、フルハーネス型の安全帯に準拠した構造の安全帯１０が着脱可能に取り付けられていることで構成されている。図１は、衣服Ｘを示す図であり、衣服Ｘを着用した着衣者を正面から見た図である。
【００２４】
衣服Ｘは、着衣者が衣服本体１を着用することにより、フルハーネス型の安全帯と同様の構造の安全帯１０を着衣者の身体に装着させることが可能な構造となっている。つまり、着衣者は、衣服本体１を着用すると同時に安全帯１０を装着することが可能である。
【００２５】
衣服Ｘ各部の構成について既出の図１〜図７を参照しながら説明する。図２は、衣服本体１の上側着用部２とそれに取り付けられる上側ベルト部１１と、下側ベルト部１６とを前側から見た図である。図３は、上側着用部２を後ろ側から見た図である。図４は、衣服本体から外出する環状部１７にフック部Ｒａ（掛留部）を引掛けた状態を示す図であり、図３のIII−III線に沿った断面図である。図５は、衣服本体１の下側着用部５を前側から見た図である。図６は、下側着用部５の前身頃５ｂの内側を示す図である。図７は、連結部２０によって上側ベルト部１１と下側ベルト部１６とが連結された状態を示す図である。なお、図７では、安全帯１０を実線にて図示し、それ以外（具体的には衣服本体１）を破線にて図示している。
【００２６】
衣服本体１は、着衣者が着用する部分であり、ジャケット型の上側着用部２と、ズボン型の下側着用部５とを有する。上側着用部２は、図１及び図２に示すよう左右一対の袖２ａを備え、それぞれの袖２ａに着衣者の腕を通すことで着衣者の上半身に着用される。本実施形態の上側着用部２は、前身頃２ｂの左右中央部に設けられたファスナを開閉することで前開き状態（展開状態）と前閉じ状態（使用状態）との間で状態を切り替えることが可能である。
【００２７】
上側着用部２の前身頃２ｂの外側には、図１に示すように、胸部及び腹部の各々に保持リング４が左右対称に設けられている。保持リング４は、着衣者が所持する道具（例えば、ランヤードＲ、ヘルメット及び工具入れ袋）を上側着用部２に吊るした状態で保持しておくための環状の金具である。なお、本実施形態において、各保持リング４は、上側着用部２の前身頃２ｂに縫い付けられた袋状の帯体に通されることで上側着用部２に取り付けられている。
【００２８】
また、上側着用部２の後身頃２ｃの外側には、図３に示すように、後述する上側ベルト部１１に取り付けられた環状部１７を取り出すためのスリット孔３（貫通孔）が形成されている。環状部１７は、着衣者の墜落を防止するために設けられたランヤードＲのフック部Ｒａ（掛留部、図４参照）が引っ掛けられる金具である。環状部１７は、上側ベルト部１１に設けられた袋状の帯体７に通されることで、直接上側ベルト部１１に接続されている。そのため、フック部Ｒａにより環状部１７が図４の矢印Ｂ方向に引っ張られても、上側着用部２の後身頃２ｃが引っ張られることが防止される。なお、環状部１７は、上側着用部２の後身頃２ｃの背部に縫い付けられた布体に筒状部分を設け、当該筒状部分に通されることで上側着用部２に取り付けられてもよい。
【００２９】
図４は、衣服Ｘの上側ベルト部１１から延びる環状部１７にランヤードＲのフック部Ｒａを引っ掛けた状態を示す図である。また、衣服Ｘを着用した着衣者は、高所作業を実施するにあたり、図４に示すように衣服Ｘの背部に設けられた環状部１７に、ランヤードＲのフック部Ｒａ（掛留部に相当）を引っ掛ける。ランヤードＲの末端部（フック部Ｒａとは反対側の端部）は、不図示の足場や親綱に締結されている。これにより、衣服Ｘの着衣者が高所作業中に墜落するのを防止することが可能となる。
【００３０】
下側着用部５は、図５に示すように股部５ａを備え、股部５ａに着衣者の脚を通すことで（すなわち、穿くことで）着衣者の下半身に着用される。また、下側着用部５は、上側着用部２とは分離している。したがって、衣服本体１を着用する際には、上側着用部２及び下側着用部５を別々に着用することになる。
【００３１】
また、下側着用部５の前身頃５ｂの外側には、後述する連結部２０の被係合部２４が左右一対の各々の大腿部に形成されたスリット孔２５を通して外出している。この被係合部２４は、下側ベルト部１６から延出した第二延出部２３の先端に取り付けられていて、ワンタッチバックルのオス部材により構成されている。係合部２２がワンタッチバックルのオス部材である場合、被係合部２４はメス部材により構成される。なお、被係合部２４は、環状（厳密には、Ｄ字状）の金具であってもよい。
【００３２】
安全帯１０は、衣服Ｘの着衣者の墜落を防止するために衣服本体１に取り付けられたものであり、前述したように、衣服本体１に対して着脱可能に取り付けられ、取り付けられたときは衣服本体１と一体化している。また、安全帯１０は、フルハーネス型の安全帯と同様の構成となっており、図１及び図２に示すように、着衣者の上半身に装着される上側ベルト部１１と、着衣者の下半身に装着される下側ベルト部１６と、これらの部分を連結する連結部２０と、を有する。
【００３３】
安全帯１０のうち、着衣者の上半身に装着される部分は、図１及び図２に示すように、左右一対の上側ベルト部１１と、左右一対の上側ベルト部を繋ぐ連絡ベルト部１２とを有する。
左右一対の上側ベルト部１１は、上側着用部２に着脱可能に取り付けられるベルト体であり、上側着用部２が着用された際（厳密には、上側着用部２の袖２ａに着衣者の腕が通された際）に着衣者の背部から腹部へ回り込むように着衣者の肩に掛けられる。上側ベルト部１１は、上側着用部２の後身頃２ｃの肩部と腹部に設けられた４つの上側取付け部８により着脱可能に取り付けられている。上側取付け部８はボタン８ａを用いて上側ベルト部１１の一部を着脱可能に取り付ける。ボタン８ａは面ファスナであってもよい。図２に示すように、左右一対の上側ベルト部１１は、ベルト通し部材１８により上側着用部２の背部中央部にて交差している。また、上側ベルト部１１は、肩部の上端（上側着用部２の襟元）から下端まで略真っ直ぐ延びていて、その先端に連結部２０の係合部２２が設けられている。具体的に係合部２２は、ワンタッチバックルのメス部材である。下側ベルト部１６から延出する第二延出部２３の先端に設けられた被係合部２４であるオス部材と連結する。上側ベルト部１１の後側部分は、肩部の上端から下端に向かって斜めに延出して、襷掛け状に、ベルト通し部材１８において交差し、後側部分の下端１１ｂは前側部分の下端１１ａに繋がっている。
【００３４】
図１及び図２に示すように、上側着用部２の下端において、上側ベルト部１１の下端１１ａから延出した左右一対の第一延出部２１が設けられている。なお、本実施形態において、第一延出部２１は、第一延出部２１の先端が上側着用部２の下端から十分に突出する程度に延出しているが、突出せず上側着用部２の内に位置してもよい。
【００３５】
また、第一延出部２１の先端には、連結部２０の係合部２２が設けられている。連結部２０は、ワンタッチで連結・分割可能な差し込み式の金属製のワンタッチバックルであり、係合部２２としてワンタッチバックルのメス部材が取り付けられている。係合部２２は、カラビナ等の可動部付きのリング状の金具であってもよい。
【００３６】
連絡ベルト部１２は、着衣者の前方位置で、左右一対の上側ベルト部１１の間を連絡するベルト体である。連絡ベルト部１２、図１に示すように、着衣者の胸部の前方位置で上側ベルト部１１間を連結している。
連絡ベルト部１２は、左右一対の上側ベルト部１１の間に位置している。具体的に説明すると、上側の連絡ベルト部１２の一端が一方の上側ベルト部１１に縫合されており、他端がもう一方の上側ベルト部１１に縫合されている。また、連絡ベルト部１２の左右中央部分には、分割可能なバックル部１５が設けられている。このバックル部１５は、ワンタッチで分割可能な公知の差し込み式のプラスチックバックルであり、二つの断片（分割断片）によって構成されている。
【００３７】
また、バックル部１５には、連絡ベルト部１２が左右中央部に有する二つのベルト端部１３，１４（上側ベルト部１１に縫合されている側とは反対側の端部）が取り付けられている。厳密には、バックル部１５を構成する二つの分割断片のうちの一方に一つのベルト端部１３が取り付けられており、他方にもう一つのベルト端部１４が取り付けられている。
以上のように構成された連絡ベルト部１２において、バックル部１５を分割すると、上記二つのベルト端部１３，１４の連結状態が解除され、ベルト端部１３，１４同士が互いに分離するようになる。反対に、分離したバックル部１５の断片同士を結合させると、二つのベルト端部１３，１４が連結し、上側の連絡ベルト部１２が上側ベルト部１１の間を連絡するようになる。
【００３８】
安全帯１０のうち、着衣者の下半身に装着される部分は、図１、図２、図５〜図７に示すように、左右一対の下側ベルト部１６を有する。左右一対の下側ベルト部１６は、下側着用部５の股部５ａに着脱可能に取り付けられ、下側着用部５が着用された際（具体的には、股部５ａに着衣者の脚が通された際）に着衣者の大腿部を包み込む。より詳しく説明すると、下側ベルト部１６は、左右方向において一対設けられている。各下側ベルト部１６は、一本のベルト体からなり、下側着用部５の前身頃５ｂから後身頃５ｃに亘って下側着用部５の内側に設けられた下側取付け部１９により、着脱可能に取り付けられている。取り付けられた際、下側ベルト部１６は、下側着用部５の前身頃５ｂから後身頃５ｃに回り込み、その後に後身頃５ｃから前身頃５ｂに再び戻るように周回している。
【００３９】
下側取付け部１９は、図６に示すように袋状に形成され、袋内部に下側ベルト部１６を通すことにより、下側ベルト部１６が下側着用部５の前身頃５ｂ及び後身頃５ｃに取り付けられる。下側取付け部１９は、上端に設けられたボタン１９ａにより閉じた状態で固定され、図６に示すようにボタン１９ａを外すことにより、下側ベルト部１６を取り外すことができる。ボタン１９ａは面ファスナであってもよい。
なお、下側着用部５において、下側ベルト部１６は、臀部よりも若干下方位置に取り付けられているのが望ましい。
【００４０】
また、下側ベルト部１６は、図２、図５及び図６に示すように上方向に延出する第二延出部２３を有する。第二延出部２３の端部には、上側ベルト部１１の係合部２２と係合する被係合部２４が取り付けられる。第二延出部２３は、下側ベルト部１６と同じ材質のベルト体にて構成されている。また、第二延出部２３の下端部は、図６に示すように下側ベルト部１６に重ねられた状態で下側ベルト部１６に縫い付けられている。これにより、被係合部２４に掛かる力（厳密には、係合部２２が被係合部２４に係合した状態で被係合部２４に掛かる力）を、第二延出部２３を通じて下側ベルト部１６へ分散させることが可能となる。
なお、図に示す一対の下側ベルト部１６は、それぞれを連結して臀部に当接して臀部を支持する臀掛け帯を備えてもよい。
【００４１】
図７を用いて、安全帯１０が有する連結部２０について説明すると、連結部２０は、着衣者が上側着用部２及び下側着用部５を着用した状態にあるときに上側ベルト部１１と下側ベルト部１６とを連結させるためのものである。連結部２０は、図７に示すように、第一延出部２１とその先端に取り付けられた係合部２２と、第二延出部２３とその先端に取り付けられた被係合部２４とから構成される。連結部２０の係合部２２と被係合部は、上述したようにワンタッチで連結・分割可能な差し込み式の金属製のワンタッチバックルである。図７に示すように、第一延出部２１の先端には係合部２２としてワンタッチバックルのメス部材が、第二延出部２３の先端には被係合部２４としてワンタッチバックルのオス部材が取り付けられている。着衣者は図７の矢印Ｄ方向に被係合部２４を移動させ、被係合部２４を係合部２２に挿入することで、被係合部２４と係合部２２が連結し連結部２０として一体になる。図７に示す連結部２０は、ワンタッチバックルであるが、これは一例であり、連結部２０は例えばカラビナ等の可動部付きのリング状の金具で構成されてもよい。
【００４２】
被係合部２４は、下側着用部５における左右一対の大腿部にそれぞれ設けられ、図６に示すように、スリット孔２５を通って下側着用部５の外側表面（具体的には、下側着用部５の前身頃５ｂの外側表面）に外出する。
【００４３】
以上のように構成された連結部２０は、着衣者が上側着用部２及び下側着用部５を着用した後に操作されることで、左右一対の上側ベルト部１１の各々と左右一対の下側ベルト部１６の各々とを連結する。これにより、連結部２０が左右一対の上側ベルト部１１の各々と左右一対の下側ベルト部１６の各々とを連結するようになる。このように上側ベルト部１１と下側ベルト部１６が連結した結果、安全帯１０が、上下に分離された状態から一つの機器としてまとまった状態となり、フルハーネス型の安全帯と同様の機能を発揮するようになる。
【００４４】
以上のように本実施形態では、ジャケット型の上側着用部２及びズボン型の下側着用部５をそれぞれ着用することで、着衣者は、上側ベルト部１１及び下側ベルト部１６を装着することが可能である。また、着衣者は、上側着用部２及び下側着用部５を着用した後、前述した手順により上側ベルト部１１と下側ベルト部１６とを連結部２０によって連結させる。これにより、それまで分離していた上側ベルト部１１及び下側ベルト部１６が連結して一つの安全帯１０を構成し、フルハーネス型の安全帯と同様の機能を発揮するようになる。このような構成により、本実施形態の衣服Ｘによれば、従来のフルハーネス型の安全帯に比べ、それと同様の構造の安全帯１０をより簡単に装着することが可能となる。
【００４５】
また、反対に、本実施形態の衣服Ｘによれば、従来のフルハーネス型の安全帯に比べ、それと同様の構造の安全帯１０をより簡単に取り外すことが可能である。具体的に説明すると、連結部２０の係合部２２を被係合部２４から外して上側ベルト部１１と下側ベルト部１６との連結状態を解除した後、上側着用部２及び下側着用部５を脱ぐことにより、安全帯１０を取り外すことが可能となる。なお、このとき、上側着用部２及び下側着用部５のうちのいずれか一方を脱ぐことも可能である。すなわち、安全帯１０のうち、脱いだ着用部に取り付けられている部分のみを取り外すことが可能である。
【００４６】
また、本実施形態において、安全帯１０のうち、衣服本体１に取り付けられている部分（具体的には、上側ベルト部１１及び下側ベルト部１６）は、衣服本体１の内側において上側取付け部８又は下側取付け部１９により着脱可能である。このため、衣服Ｘは、通常の作業着と同様の外観を呈しており、良好な見た目（意匠）をなしている。
そして、衣服本体１から、上側ベルト部１１及び下側ベルト部１６を取り外すことにより、衣服本体１のみとすることができ、例えばネットに入れることなく衣服本体１を洗濯することができる。また、安全帯１０が取り外された衣服本体１はアイロンをかけるのが容易となる。
【００４７】
また、安全帯１０の各部を構成するベルト体の材質については、特に制限されるものではないが、例えば、乗物等に使用されるシートベルトのウェビングと同様の材質（具体的には、引張り強度に優れたポリエステル繊維）を用いると良い。かかる材質のベルト体であれば、比較的に軽量で薄厚であり、しなやかで肌に馴染む一方で、十分な強度を有する。このため、上記材質のベルト体で安全帯１０を構成すれば、当該安全帯１０が安全帯としての機能を適切に発揮するようになる。
また、廃棄された乗物に搭載されたシートベルトのウェビングの端材を安全帯１０の材料として利用すれば、環境面でも好適である。
【符号の説明】
【００４８】
１  衣服本体
２  上側着用部
２ａ  袖
２ｂ  前身頃
２ｃ  後身頃
３    スリット孔（貫通孔）
４    保持リング
５    下側着用部
５ａ  股部
５ｂ  前身頃
５ｃ  後身頃
７    帯体
８    上側取付け部
１０  安全帯
１１  上側ベルト部
１２  連絡ベルト部
１３，１４  ベルト端部
１５  バックル部
１６  下側ベルト部
１７  環状部
１８  ベルト通し部材
１９  下側取付け部
２０  連結部
２１  第一延出部
２２  係合部
２３  第二延出部
２４  被係合部
２５  スリット孔
Ｒ  ランヤード
Ｒａ  フック部（掛留部）
Ｘ  衣服
【図１】
2020162751.tif 000003
【図２】
2020162751.tif 000004
【図３】
2020162751.tif 000005
【図４】
2020162751.tif 000006
【図５】
2020162751.tif 000007
【図６】
2020162751.tif 000008
【図７】
2020162751.tif 000009